(57)【要約】  ＤＭＸ信号を記録する方法を開示する。第１に、ある一定の期間内のＤＭＸ信号が、信号源装置において編集され、開始識別信号が編集されてＤＭＸ信号の最初のフレームのデータの前に設定され、かつ終了識別信号が編集されて最後のフレームのデータの後に設定される。第２に、記録装置における記録手順は、各受信フレームのデータを識別し、開始識別信号が出現した時に記録を開始し、かつ終了識別信号が出現した時に記録を終了するように設定される。【選択図】図３
2012503846.tif 000002
【特許請求の範囲】
【請求項１】
ＤＭＸ信号を記録する方法であって、
（１）信号源装置において、ある期間内のＤＭＸ信号を編集し、開始識別信号を編集して該ＤＭＸ信号の最初のフレームのデータの前に配置し、かつ終了識別信号を編集して該ＤＭＸ信号の最後のフレームのデータの後に配置する段階と、
（２）受信した各フレームのデータを識別し、前記開始識別信号が出現した時に記録を開始し、かつ前記終了識別信号が出現した時に該記録を終了するように記録装置における記録手順を設定する段階と、
（３）前記記録装置を起動して前記記録手順に入る段階と、
（４）前記信号源装置を起動して信号を送信する段階と、
を含むことを特徴とする方法。
【請求項２】
前記識別信号は、全てがゼロであるデータのフレームであることを特徴とする、請求項１に記載のＤＭＸ信号を記録する方法。
【発明の詳細な説明】
【技術分野】
【０００１】
本発明は、信号を記録する方法に関し、特に、ＤＭＸプロトコルに基づく照明制御信号を記録する方法に関する。
【背景技術】
【０００２】
デジタル制御は、広場のパーティーのような現代社会の大規模な屋外上演活動、大規模又は中規模のソロコンサート、並びに大規模又は中規模の屋内舞台演劇に使用されるデジタル照明操作コンソール、デジタル調光パック、コンピュータ処理による効果を有する光、コンピュータ処理による変色光、フォロースポットライト、レーザ光等のためのコンピュータ処理によるカラースクローラのような業務用照明装置の殆どにおいて適用される。しかし、これらの装置の正確な制御を達成して舞台照明の統合計画を実現するためにこれらの装置を如何に相互接続することができるかは、照明デザイナーにとって問題である。
【０００３】
最新の舞台照明デザイナーは、新しい管理概念、すなわち、中央集中管理、中央集中制御を提案している。この管理概念は、様々な機能効果を有する複数のデジタル照明装置が互いに接続され、デジタル照明操作コンソールによって制御されることを意味する。例えば、デジタル調光パック、デジタルカラースクローラ、コンピュータ処理による効果を有する光、コンピュータ処理によるカラースクローラ、デジタル式霧機、デジタル式泡機などは、照明アーティストによって制御されるコンピュータ化された操作コンソールに接続されるように慣例化している。ここでは、照明制御分野の当業者に公知のＤＭＸ信号システムが関わっている。
【０００４】
ＤＭＸは、「米国劇場技術協会（ＵＳＩＴＴ）」によって定められた「デジタル多重化（Digital Multiplex）」の略語である。広く採用されたデジタル照明データプロトコルとして、ＤＭＸは、世界中の舞台装置の製造業者によって受け入れられて準拠されている。言い換えれば、中央集中制御を提供するために、このリンクにおいて制御される各ユニットは、このプロトコルの仕様に準拠すべきである。
【０００５】
ＤＭＸプロトコルにおける単位又はユニットは、「フレーム」であり、各フレーム内のデータは、最大で５１２個の照明ループを駆動することができ、有効な光調節値は、０〜２５５（１０進数）又は００〜ＦＦ（１６進数）の範囲になければならない。ＤＭＸのこの特性は、ＤＭＸ光調節値を調節することによって照明ループに対する線形の光調節を可能にする。ＤＭＸコントローラは、ＤＭＸ信号を連続的に送信する装置である。
【０００６】
しかし、従来のＤＭＸコントローラの大きいサイズ、並びに装置全体の高価格に起因して、ＤＭＸ信号を送信することのような簡易機能しか持たない小さいサイズのＤＭＸコントローラが簡素化によって設計された。このＤＭＸコントローラは、従来の全機能ＤＭＸコントローラのＤＭＸ信号を記録することができ、操作中にこれらのＤＭＸ信号を送信して、デジタル照明装置の制御を提供することができる。本発明は、そのような簡易ＤＭＸコントローラと従来の全機能ＤＭＸコントローラとの間でＤＭＸ信号の記録を実施する技術分野に関する。
【０００７】
現在、この分野でＤＭＸ信号を記録するための一般的な方法は、以下の通りである：記録装置（すなわち、簡易ＤＭＸコントローラ）と信号源装置（例えば、全機能ＤＭＸコントローラ）との回路接続の後に、信号源装置によって送信されるＤＭＸ信号が記録装置によって記録されるように、手動操作、すなわち、信号源装置の「送信ボタン」と記録装置の「記録ボタン」を同時に押下することが適用され；記録が終了する時に、記録を中止するために手動操作、すなわち、信号源装置の「送信停止ボタン」と記録装置の「記録終了ボタン」を同時に押下することが適用される。明らかに、そのような手動操作を同期させるのは困難であり、ある一定の期間内に記録されるＤＭＸ制御信号には、より少ないデータフレームを記録すること（例えば、記録が開始される時に「記録ボタン」が「送信ボタン」よりも遅れて押下されることによってＤＭＸ制御信号の一部が損失する）、又はより多いデータフレームを記録すること（例えば、記録が終了する時に「記録終了ボタン」が「送信停止ボタン」よりも遅れて押下されることによって余分のＤＭＸ制御信号が追加で記録される）が頻発する。この方法よって記録されたある一定の期間内のＤＭＸ信号、すなわち、この期間内にデジタル照明装置の制御手順を使用することによって記録されたＤＭＸ信号は、データフレームが不足しているか、余分のデータフレームを有するかのいずれかである。舞台照明の有効な制御に対して、これらのことは明らかに不利である。
【発明の概要】
【発明が解決しようとする課題】
【０００８】
ＤＭＸ信号を記録するのに手動操作が必要とされ、より少ないデータ又はより多いデータが記録されることが頻発するという従来技術の問題を解決するために、本発明は、所望の期間内のＤＭＸ信号を正確に記録する方法を提供することを目的とする。
【課題を解決するための手段】
【０００９】
ＤＭＸ信号を記録する方法は、以下のステップを含むことによって特徴付けられるＤＭＸ信号を記録する方法として実施される。
（１）信号源装置において、ある期間内のＤＭＸ信号を編集し、開始識別信号を編集して上述のＤＭＸ信号の最初のフレームのデータの前に設定し、終了識別信号を編集して上述のＤＭＸ信号の最後のフレームのデータの後に設定する段階
（２）受信した各フレームのデータを識別し、開始識別信号が出現した時に記録を開始し、終了識別信号が出現した時に記録を終了するように記録装置における記録手順を設定する段階
（３）記録装置を起動して記録手順に入る段階
（４）信号源装置を起動して信号を送信する段階
【００１０】
好ましい実施形態では、識別信号は、全てがゼロであるデータのフレームである。
【００１１】
ＤＭＸ信号を記録する本発明の方法の実施は、機能的に簡素化されたＤＭＸコントローラを簡単に使用することができて舞台照明の低コスト中央集中制御を達成するために、いかなる手動操作も頼りとする必要なく、記録を必要とするＤＭＸ信号の開始位置と終了位置を記録装置がそれ自体によって判断することを可能にし、従って、記録データの精度を保証するものである。
【図面の簡単な説明】
【００１２】
【図１】ＤＭＸ信号のデータ構造の概略図である。
【図２】従来技術による記録方法の概略図である。
【図３】本発明による記録方法の流れ図である。
【図４】本発明により信号源装置において編集された信号のデータ構造の概略図である。
【発明を実施するための形態】
【００１３】
ＤＭＸ信号を記録するための本発明による方法を添付図面と実施形態の組合せで以下により詳しく説明する。
【００１４】
図１に例示しているように、ＤＭＸプロトコルに基づく舞台照明のための中央集中制御システムの核心部は、ある期間、すなわち、ＤＭＸ信号の期間又は周期内の照明制御手順であり、ＤＭＸ信号は、複数のデータフレームで構成され、各データフレームは、リンクにおける様々な舞台照明装置をそれぞれ制御するために、最大で５１２個の照明ループを駆動することができる。各データフレーム内では、有効な光調節値は、０〜２５５（１０進数）又は００〜ＦＦ（１６進数）の範囲になければならない。
【００１５】
ＤＭＸのこの特性は、ＤＭＸ光調節値を調節することによって照明ループの線形の光調節を可能にする。ＤＭＸコントローラは、接続された複数の舞台照明装置に上述のＤＭＸ信号を連続的に送信する装置である。
【００１６】
図２に示しているように、ＤＭＸ信号を記録する従来技術の方法では、記録装置（すなわち、簡易化されたＤＭＸコントローラ）と信号源装置（例えば、全機能ＤＭＸコントローラ）との回路接続の後に、手動操作、すなわち、信号源装置の「送信ボタン」と記録装置の「記録ボタン」を同時に押下することが適用され、それによって信号源装置によって送信されるＤＭＸ信号が記録装置によって記録され、記録を終了する時に、手動操作、すなわち、信号源装置の「送信停止ボタン」と記録装置の「記録終了ボタン」を同時に押下することが適用され、記録が終了する。明らかに、そのような手動操作を同期させるのは困難であり、ある期間内に記録されるＤＭＸ制御信号には、より少ないデータフレームを記録すること（例えば、記録が開始される時に「記録ボタン」が「送信ボタン」よりも遅れて押下されることによってＤＭＸ制御信号の一部が損失する）、又はより多くのデータフレームを記録すること（例えば、記録が終了する時に「記録終了ボタン」が「送信停止ボタン」よりも遅れて押下されることによって余分のＤＭＸ制御信号が追加で記録される）が頻発する。ある期間内にこの方法よって記録されたＤＭＸ信号、すなわち、この期間内にデジタル照明装置の制御手順を使用することによって記録されたＤＭＸ信号は、データフレームが不足しているか、余分のデータフレームを有するかのいずれかである。舞台照明の有効な制御に対して、これらのことは明らかに不利である。
【００１７】
図３に示しているように、本発明によるＤＭＸ信号を記録する方法は、以下の通りである。
【００１８】
第１に、ＤＭＸ信号のある期間が、全機能ＤＭＸコントローラのような信号源装置において編集され、この期間のＤＭＸ信号は、実際に、ある期間内のデジタル照明装置の制御手順であり、複数のデータフレームで構成され（図１を参照されたい）、各データフレーム内には、接続された照明ループに対する様々な光調節値が含まれ、舞台照明デザイナーは、これらの光調節値を使用することにより、接続された照明ループの線形の光調節を達成する。上述の編集が完了した後に、全機能ＤＭＸコントローラは、照明制御システム内に接続することができ、全機能ＤＭＸコントローラは、舞台照明デザイナーの照明デザインの効果を達成するように、システム内の様々なデジタル照明装置にＤＭＸ信号を連続的に送信することができる。背景技術の欄で紹介したように、全機能ＤＭＸコントローラの大きいサイズ、並びに装置全体の高価格に起因して、ＤＭＸ信号を送信することのような簡易機能しか持たない小さいサイズのＤＭＸコントローラが簡素化によって設計されている。この簡易機能ＤＭＸコントローラに唯一必要なことは、上述の全機能ＤＭＸコントローラにおけるＤＭＸ信号を記録し、デジタル照明装置の制御が低コストで達成されるように、操作中に、接続された照明ループにＤＭＸ信号を送信することである。上述したものと同じ技術効果を低コストで得るために、本発明における記録の方法によると、上述の編集が完了した後に、開始識別信号が更に編集されて上述の編集済みＤＭＸ信号の最初のフレームのデータの前に設定又は配置され、終了識別信号が編集されて上述の編集済みＤＭＸ信号の最後のフレームのデータの後に設定又は配置される。そのような編集が完了した後に、編集済みＤＭＸ信号のデータ構造は、図４に示しているように、開始部分と終了部分の両方が識別信号であり、中央部分がＤＭＸ信号である構造である。
【００１９】
第２に、本発明における記録方法により、記録装置、すなわち、簡易機能ＤＭＸコントローラにおける記録手順は、各受信フレームのデータを識別するように設定される。更に、記録装置は、「開始識別信号」が出現した時に、すなわち、記録装置が「開始識別信号」を受信して識別した場合に、記録手順の制御の下で記録が開始されて「開始識別信号」の後の信号が記録装置内に記録され、「終了識別信号」が出現した時に、すなわち、記録装置が「終了識別信号」を受信して識別した場合に、記録手順の制御の下で記録が終了されるように更に設定される。
【００２０】
編集及び設定が完了した後に、記録装置は、次に、記録手順に入るように起動され、信号源装置が信号を送信するように起動される。
【００２１】
このようにして、記録装置の記録は自動であり、もはや手動操作を必要としない。記録装置それ自体によって、記録する必要があるＤＭＸ信号の開始位置と終了位置を判断するそのような方法は、記録データの精度を保証し、従って、機能的に簡素化されたＤＭＸコントローラを容易に使用することができ、舞台照明の低コスト中央集中制御が達成される。
【００２２】
本発明の好ましい実施形態では、図４に示すように、開始識別信号及び終了識別信号の各々は、全てがゼロであるデータのフレームである。言い換えれば、開始識別信号として全てがゼロであるデータのフレームが編集されてＤＭＸ信号の最初のフレームのデータの前に設定又は配置され、終了識別信号として全てがゼロであるデータのフレームが編集されてＤＭＸ信号の最後のフレームのデータの後に設定又は配置され、ある期間内の舞台照明制御手順として使用されるデータフレームは、全てがゼロである識別データフレームの間に位置する。このようにして、記録装置は、全てがゼロであるデータフレームを受信した時に、記録手順の制御の下で記録を開始してこのデータフレームの後の信号を記録装置内に記録し、全てがゼロであるデータフレームを再度受信した時に、記録手順の制御の下での記録を終了する。ＤＭＸ信号内では、全てがゼロである光調節値は、全ての光が消灯していることを意味するか、又はＤＭＸコントローラが舞台照明装置にいかなる光調節制御信号も送信しないことと同等である。従って、この好ましい実施形態では、全てがゼロであるデータフレームを識別信号として設定することにより、舞台照明デザイナーの作業が更に簡素化されることになり、その一方、ある照明デザイナーによって設計された照明制御手順を他者が容易に読解することができるようになる。
【００２３】
一般的に、上述の実施形態は、本発明の全ての実施方法を代表するわけではなく、上述の実施形態は、本発明を特定的に限定するように意図しておらず、本発明の解決法と類似の全ての構成は、本発明の保護範囲に含められるべきである。
【図１】
2012503846.tif 000003
【図２】
2012503846.tif 000004
【図３】
2012503846.tif 000005
【図４】
2012503846.tif 000006
【国際調査報告】
2012503846.tif 000007
2012503846.tif 000008
2012503846.tif 000009
2012503846.tif 000010